【事件の表示】
　平成　６年特許願第　１００６１号「非同期転送型磁気ディスク制御装置の入出力制御システム」拒絶査定に対する審判事件［平成　７年　８月１８日出願公開、特開平　７−２１９７１２］について、次のとおり審決する。
【結　論】
　本件審判の請求は、成り立たない。
【理　由】
１．手続きの経緯、本願発明の要旨
  本願は、平成６年１月３１日の出願であって、その請求項１に係る発明は、平成１２年１２月２７日付け手続補正書により補正された明細書及び図面の記載からみて、その特許請求の範囲第１項に記載された次のとおりのものと認める。
「磁気ディスク装置に格納されている読出対象データをデータ読出要求元の転送データ格納手段にチャネルを介して転送する際に、該チャネルとの入出力と、該磁気ディスク装置との入出力を独立して行い、該磁気ディスク装置から読み出した対象データを非同期転送バッファに保持してから転送する非同期型磁気ディスク制御装置において、
　該磁気ディスク装置から該対象データを読み出して、該非同期転送バッファに転送するデータ読出手段と、
　該データ読出手段で読み出し中のレコードを監視し、ＥＯＦレコードを検出するＥＯＦ検出手段と、
　該ＥＯＦ検出手段によりＥＯＦを検出した場合に、該非同期転送バッファへのデータ転送を中止することを示す第１の識別子と、データ転送を継続することを示す第２の識別子を発行する転送識別子発行手段と、
　該ＥＯＦ検出手段によりＥＯＦが検出された場合に、該転送識別子発行手段より該第１の識別子が発行された際には、該磁気ディスク装置からのデータ転送を中止し、該第２の識別子が発行された際には、データ転送を継続するように該データ読出手段を制御するデータ転送制御手段と、
　データ転送が終了した場合に、該非同期転送バッファに格納されているデータを該データ読出要求元の該転送データ格納手段に転送するデータ転送手段とを有することを特徴とする非同期転送型磁気ディスク制御装置の入出力制御システム。」
　
２．引用例
　一方、原査定の拒絶の理由に引用された特開平６−４４４９号公報（以下、引用例という）には、次の事項が記載されている。
・「物理トラック上にエンド・オブ・ファイルによって区切られた単数又は複数の論理トラックが形成されたディスク装置(3)を制御し、上位装置(1)が発行するリード・トラック・コマンドを含むコマンドチェインに基づき、指定されたレコードを読出すディスク制御装置(2)において、
　前記リード・トラック・コマンドを物理トラックに対して有効とするか、又は、論理トラックに対して有効とするかを指示するフラグを設けた前記コマンドチェインを受信した時、該フラグの指示に基づき、物理トラック上のレコードを読出すか、又は、一つの論理トラック上のレコードを読出すかを判断する制御手段(4)を設け、
　該フラグが前記リード・トラック・コマンドを物理トラックに対して有効としている場合は、物理トラック上のサーチ対象レコードの次のレコードから、該物理トラック上の終端までの間の総てのレコードを読出し、該フラグが前記リード・トラック・コマンドを論理トラックに対して有効としている場合は、物理トラック上のサーチ対象レコードの次のレコードから、最初に読出された前記エンド・オブ・ファイルまでの間の総てのレコードを読出すことを特徴とするディスク制御装置。」（特許請求の範囲）
・「【作用】
　上記の如く構成することにより、上位装置１がコマンドチェイン内に設けたフラグによって、物理トラックのレコード読出しか、論理トラックのレコード読出しかを指定するため、ディスク制御装置２は制御手段４の制御により、指定された論理トラックのレコードのみ読出すことが出来る。
　従って、上位装置１が必要とする論理トラックのレコードのみ読出されるため、不要なレコードが読出されることが無く、読出し処理効率が向上すると共に、上位装置１が必要とするレコードを抽出する処理が不要となるため、上位装置１の負担を軽減することが出来る。」（明細書段落【００１２】〜【００１３】）
・「ディスク制御装置２のプロセッサ８は、制御記憶９に格納されているプログラムを読出して動作し、インタフェース回路５を経て上位装置１が送出するコマンドチェイン、例えば、ＤＸ(Define Eetent)(後に続く動作の規定を行うコマンド)，ＬＲ(Locate Record)(書込み又は読出し動作の指示及び処理対象レコードを探す指示を行うコマンド)，ＲＴ(Read Track)（トラックの読出しを指示するコマンド)を受信すると、インタフェース回路７を経てディスク装置３を制御し、ＬＲで指定されたシリンダにヘッドを位置付けさせる。
　そして、ＬＲに設けられたフラグを調べ、このコマンドが物理トラックに対し有効であることを示しているか、又は、論理トラックに対し有効であることを示しているかを調べる。
　そして、物理トラックに対し有効であれば、指定されたシリンダに位置付けされた指定されたヘッドが追従するトラック上から読出すレコードのカウント部のレコード番号を調べ、指定されたレコード番号を持つサーチ対象レコードを読出すと、ＬＲが読出しを指示している場合は、このサーチ対象レコードの次に読出されたレコードから、このヘッドが追従するトラックの最終レコードまでをインタフェース回路７と、データ転送制御回路６と、インタフェース回路５を経て上位装置１に転送させる。
　図３は物理トラックの一例を示し、図３(A)に示す物理トラック１０上には、インデックス１（丸数字）に続いてホームアドレスＨＡが記録され、続いて複数のレコードがレコードＲ(0)からレコードＲｎ＋２まで記録されている。
　従って、プロセッサ８は、図３(A)に示すレコードＲ(1)がサーチ対象レコードとすると、図(B)に示す如く、レコードＲ(2)からレコードＲｎ＋２までの間の総てのレコードを、上記の如く転送させる。
　図４は物理トラック１０上に論理トラックが一つ設けられている場合を示し、図４(A)に示す如く、レコードＲ(1)がサーチ対象レコードで、レコードＲｎがＥＯＦであるとすると、プロセッサ８は、ＬＲに設けられたフラグを調べ、このコマンドが論理トラックに対し有効であることを示している場合は、図４(B)に示す如く、レコードＲ(2)からレコードＲｎまでの間の総てのレコードを上位装置１に転送させる。
　即ち、プロセッサ８はレコードＲｎのカウント部に記録されているデータ長が零を示していることから、論理トラックの終了を認識し、データ転送制御回路６に指示して、レコードＲｎの次のレコードから、それ以後読出されるレコードの転送を停止させる。」（明細書段落【００１５】〜【００２１】）
・「プロセッサ８は、サーチ対象レコードＲ(1)を読出してから、最初に読出されたＥＯＦ、即ち、レコードＲｋのカウント部に記録されているデータ長が零を示していることから、このレコードＲｋをＥＯＦと判定して、論理トラックの終了を認識し、」（明細書段落【００２５】）
　引用例の記載において、ディスク制御装置２のプロセッサ８は、読出したレコードがＥＯＦであることを判定しているから、実質上読み出し中のレコードを監視し、ＥＯＦレコードを検出するＥＯＦ検出手段を備えており、また、「フラグ」は、上位装置がコマンドチェイン内に設けるものであるから、当該フラグを発行する発行手段が備えられていると認められる。そして、「フラグ」は、リード・トラック・コマンドを物理トラックに対して有効とするか、又は、論理トラックに対して有効とするかを指示するものであるが、物理トラックに対して有効である場合には、トラックの最終レコードまでを読出して転送し、論理トラックに対して有効である場合には、最初に読出されたＥＯＦまでの間の総てのレコードを読出して転送している。
　そうすると、引用例には、以下の発明が記載されていると認められる。
「磁気ディスク装置に格納されている読出対象データを上位装置に転送する磁気ディスク制御装置において、
　該磁気ディスク装置から該対象データを読み出して、上位装置に転送するデータ読出手段と、
　該データ読出手段で読み出し中のレコードを監視し、ＥＯＦレコードを検出するＥＯＦ検出手段と、
　該ＥＯＦ検出手段によりＥＯＦを検出した場合に、上位装置へのデータ転送を中止することを示す第１のフラグと、データ転送を継続することを示す第２のフラグを発行する発行手段と、
　該ＥＯＦ検出手段によりＥＯＦが検出された場合に、該発行手段より該第１のフラグが発行された際には、該磁気ディスク装置からのデータ転送を中止し、該第２のフラグが発行された際には、データ転送を継続するように該データ読出手段を制御するデータ転送制御手段と、
　読出したデータを上位装置へ転送するデータ転送手段とを有することを特徴とする磁気ディスク制御装置の入出力制御システム。」
　
３．対比
  本願発明と引用例に記載された発明とを対比する。
　引用例に記載された発明における「上位装置」、「フラグ」は、本願発明における「データ読出要求元」、「識別子」に相当するから、両者は、
「磁気ディスク装置に格納されている読出対象データをデータ読出要求元に転送する磁気ディスク制御装置において、
　該磁気ディスク装置から該対象データを読み出して、転送するデータ読出手段と、
　該データ読出手段で読み出し中のレコードを監視し、ＥＯＦレコードを検出するＥＯＦ検出手段と、
　該ＥＯＦ検出手段によりＥＯＦを検出した場合に、上位装置へのデータ転送を中止することを示す第１の識別子と、データ転送を継続することを示す第２の識別子を発行する転送識別子発行手段と、
　該ＥＯＦ検出手段によりＥＯＦが検出された場合に、該転送識別子発行手段より該第１の識別子が発行された際には、該磁気ディスク装置からのデータ転送を中止し、該第２の識別子が発行された際には、データ転送を継続するように該データ読出手段を制御するデータ転送制御手段と、
　読出したデータを転送するデータ転送手段とを有することを特徴とする磁気ディスク制御装置の入出力制御システム。」
で一致し、以下の点で相違する。
　相違点
　本願発明が、磁気ディスク装置から読み出した対象データをチャネルとの入出力と磁気ディスク装置との入出力を独立して行う非同期転送バッファに保持し、（磁気ディスクからの）データ転送が終了した場合に、該非同期転送バッファに格納されているデータをチャネルを介してデータ読出要求元の転送データ格納手段に転送するものであるのに対し、引用例に記載された発明では、磁気ディスク装置から読出されたデータは、非同期転送バッファやチャネルを介さずそのままデータ読出要求元に転送されるものであり、また、データ読出要求元の転送データ格納手段に転送される旨の記載がない点。
　
４．当審の判断
　磁気ディスク装置から読出されたデータをデータ読出要求元に転送する場合、これをデータ読出要求元のデータ格納手段に転送することはごく普通に行なわれていることであり、また、一方の入出力と他方の入出力が独立して行なわれる非同期転送バッファとチャネルを用いた非同期転送方式は周知の技術であって、引用例に記載された磁気ディスク制御装置の入出力制御技術を非同期転送型磁気ディスク制御装置の入出力制御システムに適用することに格別の発明力を要するとは認められず、また、それによって奏される効果は予期し得る範囲のものにすぎないと認められる。
　
５．むすび
　したがって、本願発明は引用例に記載された発明に基いて当業者の容易に発明をすることができたものであるから、特許法第２９条第２項の規定により特許を受けることができない。
　よって結論のとおり審決する。